(57)【要約】      （修正有）【課題】簡易でかつステレオ機能を完全にサポートできる無線オーディオシステムを提供する。【解決手段】ワイヤレスオーディオシステムは、無線イヤホン装置を介して左右音声チャネルのバランスよいステレオ信号を提供する。無線イヤホン装置における圧縮／解凍モジュールは無線伝送で受信したデジタルオーディオパケットをステレオ信号に解凍し、接続検出モジュールに伝送する。該接続検出モジュールにより、無線イヤホン装置がステレオ出力装置と接続しているか否かが判断され、接続していないと判断された場合、無線イヤホン装置中の第１スピーカユニットからステレオ信号を出力させる。また、前記接続検出モジュールにより、無線イヤホン装置がステレオ出力装置と接続していると判断された場合、前記ステレオ信号を無線イヤホン装置からステレオ出力装置に伝送し、その中の第２スピーカユニット及び第３スピーカユニットからそれぞれ出力させる。【選択図】図１
0003144831.tif 000002
【実用新案登録請求の範囲】
【請求項１】
第１伝送モジュールを有するオーディオ伝送装置に適用され、かつ無線イヤホン装置及びステレオ出力装置を含むステレオ出力可能なワイヤレスオーディオシステムであって、
前記無線イヤホン装置は、無線伝送技術により前記第１伝送モジュールに接続し、
前記無線イヤホン装置と前記オーディオ伝送装置との間にデジタルオーディオパケットを受信及び／または送信するための第２伝送モジュールと、
前記第２伝送モジュールに接続し、第２伝送モジュールが受信した前記デジタルオーディオパケットを第１音声チャネル信号及び第２音声チャネル信号を含むステレオ信号に解凍するための圧縮／解凍モジュールと、
前記解凍されたステレオ信号を出力する第１スピーカユニットと、
接続信号を生じてかつ前記ステレオ信号を出力するための音源出力ユニットと、
前記第１スピーカユニット及び前記音源出力ユニットに接続し、前記圧縮／解凍モジュールが解凍した前記ステレオ信号を受信して、前記音源出力ユニットが前記接続信号を生じたか否かを検出することで、前記第１スピーカユニット或いは前記音源出力ユニットの何れかに前記ステレオ信号を伝送して出力することを判断する接続検出モジュールを備え、
前記ステレオ出力装置は、前記音源出力ユニットに接続することによって前記無線イヤホン装置と接続し、前記音源出力ユニットから出力した前記ステレオ信号を受信する音源入力ユニットと、
前記音源入力ユニットが伝送した前記ステレオ信号を受信し、前記ステレオ信号の第１音声チャネル信号を出力する第２スピーカユニットと、
前記音源入力ユニットが伝送した前記ステレオ信号を受信し、前記ステレオ信号の第２音声チャネル信号を出力する第３スピーカユニットを備えるワイヤレスオーディオシステムであって、
前記音源入力ユニットが前記音源出力ユニットに接続される場合、前記音源出力ユニットは、前記接続信号を生じることを特徴とするステレオ出力可能なワイヤレスオーディオシステム。
【請求項２】
前記接続検出モジュールは、前記音源出力ユニットが前記接続信号を生じたと検出した場合、前記ステレオ信号を前記第１スピーカユニットから前記音源出力ユニットに切り替えて出力することを特徴とする請求項１記載のステレオ出力可能なワイヤレスオーディオシステム。
【請求項３】
前記無線イヤホン装置は、さらに、前記圧縮／解凍モジュールと前記接続検出モジュールとの間に接続され、
前記圧縮／解凍モジュールにより解凍されたオーディオ信号をアナログ信号に変換する信号変換ユニットと、
外部からの音声を受信し、前記外部からの音声を前記信号変換ユニットに伝送してデジタルオーディオ信号に変換させる音声受信ユニットを備えることを特徴とする請求項１記載のステレオ出力可能なワイヤレスオーディオシステム。
【請求項４】
前記圧縮／解凍モジュールは、前記デジタルオーディオ信号を受信してパケットデータに符号化した後に前記第２伝送モジュールに伝送し、前記オーディオ伝送装置とやり取りを行うことを特徴とする請求項３記載のステレオ出力可能なワイヤレスオーディオシステム。
【請求項５】
前記音源出力ユニットはＵＳＢスロットであり、前記音源入力ユニットはＵＳＢプラグであることを特徴とする請求項１記載のステレオ出力可能なワイヤレスオーディオシステム。
【請求項６】
前記音源出力ユニットはオーディオ穴であり、前記音源入力ユニットはオーディオプラグであることを特徴とする請求項１記載のステレオ出力可能なワイヤレスオーディオシステム。
【請求項７】
さらにアダプタを備え、前記アダプタは前記音源出力ユニットと前記音源入力ユニットとの間に接続されると共に、一端が前記音源出力ユニットに接続し、他端が前記音源入力ユニットに接続することを特徴とする請求項１記載のステレオ出力可能なワイヤレスオーディオシステム。
【請求項８】
前記アダプタの前記音源出力ユニットに接続する一端はＵＳＢプラグであって、前記アダプタの前記音源入力ユニットに接続する他端はオーディオ穴であって、前記音源出力ユニットはＵＳＢスロットであって、前記音源入力ユニットはオーディオプラグであることを特徴とする請求項７記載のステレオ出力可能なワイヤレスオーディオシステム。
【請求項９】
前記オーディオ伝送装置は、携帯電話または音楽再生装置であることを特徴とする請求項１記載のステレオ出力可能なワイヤレスオーディオシステム。
【請求項１０】
前記通信モジュールは、ブルートゥースモジュールであることを特徴とする請求項１記載のステレオ出力可能なワイヤレスオーディオシステム。
【考案の詳細な説明】
【技術分野】
【０００１】
本考案は、ワイヤレスオーディオシステムに関し、特に、ステレオ出力効果を有するワイヤレスオーディオシステムに関する。
【背景技術】
【０００２】
無線通信は、無線通信技術が成熟してきたことに伴い便利なものになり、例えば、ブルートゥース通信は現時点では短距離無線伝送での応用範囲が広く、特に、携帯電話設備に合わせて機能発展も益々多元化されてきた。ブルートゥース技術は、データ同期を行うことに加えて、無線イヤホンと携帯通信設備（例えば、携帯電話）との間の無線伝送媒介としてしばしば適用されている。特に、現在の市場において音楽を聴ける複数のタイプのマルチ機能携帯電話が開発され、ユーザーは片耳かけ式のブルートゥースイヤホンで、携帯電話の着信コールを受話することに加えて、ブルートゥースイヤホンを介して再生された音楽を聴くことも出来る。
【０００３】
ブルートゥース技術の開発と普及を推進する業界団体であるブルートゥース特殊利益団体（Ｂｌｕｅｔｏｏｔｈ  ＳＩＧ）は、ブルートゥース設備を利用するユーザーがブルートゥースイヤホンで高音質の音楽を聴けるようにするため、Ａ２ＤＰ（Ａｄｖａｎｃｅ  Ａｕｄｉｏ  Ｄｉｓｔｒｉｂｕｔｉｏｎ  Ｐｒｏｆｉｌｅ）の仕様を制定した。ユーザーの携帯電話と無線イヤホンがともにＡ２ＤＰをサポートすれば、一般の携帯電話用イヤホンが単音しか再生できない方法の代わりに、このようなブルートゥース設備が、ユーザーにＣＤ音質のようなステレオ音質出力を提供できる
【０００４】
しかしながら、現在よく見られているブルートゥースイヤホンは、依然として片耳かけ式のイヤホンである。片耳にイヤホンをかけて音声出力の装置とするため、その携帯電話と無線イヤホンがともにＡ２ＤＰをサポートしても、ユーザーは、よい音楽再生音質を感じることが出来ない。これに鑑みて、現在の市場には、両方の耳にも接続し、音声を両耳出力に区分するステレオイヤホン装置が出現している。例えば、中華民国実用新案第Ｍ２９９９９９号に開示された装置は、従来の片耳かけ式のブルートゥースイヤホンを補助することにより両耳への音声出力を行う。
【０００５】
この方式は、片耳イヤホンしか備えていない場合の不便さを解決できるが、このような補助方法によると、まず、片耳単音イヤホンを製作し、そして他の片側接続の第２片耳イヤホンを製作する。そして第２片耳イヤホンは、第２片耳イヤホン付接続線により従来の片耳イヤホンに接続される。最後に、第２片耳イヤホンは、従来の片耳イヤホンから伝送された音声を受信する。このような方法で生じた音声チャネル出力のバランス度は、両耳のイヤホンが同時に製作あるいは検査されていないため、若干の違いを有する。例えば、聴くときに、片側の耳のイヤホンの音が大きくて、もう片側の耳のイヤホンの音が小さい。あるいは、片側の耳のイヤホンの音声がきれいで、もう片側の耳のイヤホンから聞える音はより多いノイズを有する。よって、その出力した音声は、元々両耳式ステレオイヤホンが出力可能な音質と比べて遜色してしまう。しかも、聴取者の聴覚が悪くなり易い。さらに、接続された他の耳のイヤホンが元の片耳ブルートゥースイヤホンに合わせて使用しなければならないことを考えると、第２片耳イヤホンが取り外され、従来の単音イヤホンに接続されていないと、自身があらゆる聴取作用を発揮できないので、このようなタイプのステレオイヤホンの応用範囲が制限される。上記の分析のように、如何にして無線イヤホン装置がバランスよく美しいステレオを出力できるかについては、確実に検討かつ改良すべきことである。
【考案の開示】
【考案が解決しようとする課題】
【０００６】
前記問題を解決並びに現在の市場での製品不足を改善するため、本考案は、簡易でかつステレオ機能を完全にサポートできる無線オーディオシステムを提供することを目的とする。
【課題を解決するための手段】
【０００７】
本考案によるワイヤレスオーディオシステムは、無線イヤホン装置及びステレオ出力装置を含む。
前記無線イヤホン装置には、通信モジュールと、接続検出モジュールと、第１スピーカユニットと、音源出力ユニットを備える。前記通信モジュールは、第２伝送モジュールと圧縮／解凍モジュールとを備える。第２伝送モジュールは、無線伝送技術によりオーディオ伝送装置における第１伝送モジュールに接続される。また、前記第２伝送モジュールは、無線イヤホン装置と前記オーディオ伝送装置との間にデジタルオーディオパケットを受信及び／または送信するためのものである。圧縮／解凍モジュールは、前記第２伝送モジュールに接続し、第２伝送モジュールが受信した前記デジタルオーディオパケットを解凍しステレオ信号を出力するためのものである。また、前記解凍し出力されたステレオ信号は、第１音声チャネル信号及び第２音声チャネル信号を含む。また、接続検出モジュールは、無線イヤホン装置における第１スピーカユニットと音源出力ユニットとに接続され、前記圧縮／解凍モジュールが解凍した前記ステレオ信号を受信して、前記音源出力ユニットが前記接続信号を生じたか否かを検出することで、前記第１スピーカユニット、前記音源出力ユニットの何れかに前記ステレオ信号を伝送して出力することを判断する。
前記ステレオ出力装置には、音源入力ユニットと、第２スピーカユニットと、第３スピーカユニットを備える。音源入力ユニットは、前記音源出力ユニットに接続することによって前記無線イヤホン装置と接続され、前記音源出力ユニットから出力した前記ステレオ信号を受信する。第２スピーカユニットは、前記音源入力ユニットが伝送した前記ステレオ信号を受信し、前記ステレオ信号の第１音声チャネル信号を出力する。第３スピーカユニットは、前記音源入力ユニットが伝送した前記ステレオ信号を受信し、前記ステレオ信号の第２音声チャネル信号を出力する。
【考案の効果】
【０００８】
上述した手段によると、無線イヤホン装置がスピーカユニットを有するステレオ出力装置に接続され、さらに接続検出モジュールにより接続状態が検出され、及びオーディオの出力経路がアレンジされる。これにより、ステレオをサポートしても単独のスピーカしかない無線イヤホン装置が、ステレオ出力の効果をフル発揮し、かつ、ステレオ出力する際、音声や音質がバランスを取れないという欠点を避けることができる。
【０００９】
また、無線イヤホン装置がステレオ出力装置のみに接続するため、ステレオを聴く時の快適感を改善できたほか、前記無線イヤホン装置の元のデータ無線伝送の機能に全く影響しない。また、本考案によると、使用上の便利のためにハンズフリー機能を搭載している片側のスピーカユニットしか備えていない無線イヤホン装置も、全く機能に影響を与えずにハンズフリーの有する便利な使い勝手という利益を受けられる。
【００１０】
また、前記ステレオ出力装置は、音源の入力を受信してから再生するためのものであるので、ステレオ出力装置が無線イヤホン装置に接続されない場合には、無線イヤホン装置だけでなく他のケーブル装置にも接続可能であり、または、直接オーディオ、ビデオ伝送装置に接続できる。よって、前記ステレオ出力装置は極めて高い実用性を備えるとともに、各種のオーディオ装置が必要とするステレオ出力装置のコストをも節約できる。
【００１１】
また、このようなステレオ出力装置に外部接続してなるステレオ出力システムが、通常の二つの単音出力装置を接続線で接続する方法とは全く異なり、本考案による技術手段が提供できる音質効果、実用性及び利便性も、後者に比類するものではない。
【考案を実施するための最良の形態】
【００１２】
本考案の創作趣旨をより詳しく説明し、また、本考案の技術手段をより理解し易くするために、以下に添付図面を参照しながら、本考案に係る実施方法を説明する。
【００１３】
図１は、本考案に係るステレオ出力可能なワイヤレスオーディオシステムの一実施例のブロック図である。前記システムは、無線イヤホン装置（２０）及びステレオ出力装置（３０）を含む。前記無線イヤホン装置（２０）は、無線伝送技術によりオーディオ伝送装置（１０）からのオーディオ信号を受信する。また、無線イヤホン装置（２０）はステレオ出力装置（３０）と接続し、当該オーディオ伝送装置（１０）からのオーディオ信号をステレオ出力装置（３０）へ出力する。
【００１４】
無線イヤホン装置（２０）は、通信モジュール（２２）、接続検出モジュール（２１５）、第１スピーカユニット（２２０）、及び音源出力ユニット（２２５）を含む。通信モジュール（２２）は、さらに、オーディオ信号を受信及び／または送信するための第２伝送モジュール（２００）と、前記第２伝送モジュール（２００）が送受信するオーディオ信号を圧縮／解凍するための圧縮／解凍モジュール（２０５）、及び解凍されたオーディオ信号をデジタルオーディオ信号からアナログオーディオ信号に変換するための信号変換ユニット（２１０）を含む。通信モジュール（２２）により生じたアナログオーディオ信号は接続検出モジュール（２１５）に伝送される。接続検出モジュール（２１５）は、当該音声信号を第１スピーカユニット（２２０）もしくは音源出力ユニット（２２５）に伝送して出力すべきかを判断する。
【００１５】
ステレオ出力装置（３０）は、音源入力ユニット（３００）、第２スピーカユニット（３０５）及び第３スピーカユニット（３１０）を含む。前記ステレオ出力装置（３０）は、音源入力ユニット（３００）を介して無線イヤホン装置（２０）における音源出力ユニット（２２５）に接続し、無線イヤホン装置（２０）が出力した音声信号を受信して第２スピーカユニット（３０５）及び第３スピーカユニット（３１０）に伝送する。
【００１６】
無線イヤホン装置（２０）は、第２伝送モジュール（２００）を介して第１伝送モジュール（１００）の信号を送受信することで、オーディオ伝送装置（１０）と通信することができる。本実施例では、通信モジュール（２２）の第２の伝送モジュール（２００）は、オーディオ伝送装置（１０）から圧縮符号化されたデジタルオーディオパケットを受信し、当該パケットを圧縮／解凍モジュール（２０５）に伝送し、前記デジタルオーディオパケットを解凍復号化してステレオ信号に解凍還元する。
【００１７】
前記ステレオ信号は、デジタルオーディオ信号であって、かつステレオの音声効果を作り出すための第１音声チャネル信号及び第２音声チャネル信号を含む。音声信号を再生し易くするため、さらに、前記ステレオ信号は信号変換ユニット（２１０）でアナログ式の音声信号に変換される。音声をアナログ信号に変換した後に、接続検出モジュール（２１５）はステレオ出力装置（３０）が無線イヤホン装置（２０）に接続しているか否かを検出する。即ち、音源入力ユニット（３００）と音源出力ユニット（２２５）とが互いに接続される場合には、音源出力ユニット（２２５）が接続信号を生じる。接続検出モジュール（２１５）は当該接続信号が生じたことを検出することで、無線イヤホン装置（２０）とステレオ出力装置（３０）とが互いに接続されていることを知ることができる。
【００１８】
前記二つの装置が接続されていない（即ち接続信号が生じたことを検出しない）場合には、接続検出モジュール（２１５）は、前記アナログ化したステレオ信号を第１スピーカユニット（２２０）に伝送し出力させる。しかし、無線イヤホン装置（２０）は、片側のスピーカユニットしか備えていないため、無線イヤホン装置（２０）がステレオ出力をサポートしても、第１スピーカユニット（２２０）から単音出力の音声しか聴こえない。
【００１９】
逆に、接続検出モジュール（２１５）は、無線イヤホン装置（２０）が音源出力ユニット（２２５）を介して第２スピーカユニット（３０５）及び第３スピーカユニット（３１０）を持つステレオ出力装置（３０）に接続していることを検出した場合、接続検出モジュール（２１５）は、ステレオ信ｓ号の出力経路を音源出力ユニット（２２５）に切り替え、ステレオ信号を音源出力ユニット（２２５）からステレオ出力装置（３０）に伝送させる。
【００２０】
ステレオ出力装置（３０）は、音源入力ユニット（３００）を介して無線イヤホン装置（２０）における音源出力ユニット（２２５）から伝送したステレオ信号を受信する。またこのステレオ信号の第１音声チャネル信号及び第２音声チャネル信号を、それぞれ第２スピーカユニット（３０５）及び第３スピーカユニット（３１０）に伝送し出力させる。ユーザーは、左右の両音声チャネルを持つステレオ出力装置（３０）により、完全かつ左右バランスよくステレオ音声を聴くことができる。
【００２１】
前記無線イヤホン装置（２０）はさらに、例えばユーザーの話し声のような外部からの音声を受信するための音声受信ユニット（２３０）を含む。前記外部からの音声は、信号変換ユニット（２１０）に伝送されデジタルオーディオ信号に変換される。さらに前記デジタルオーディオ信号は、圧縮／解凍モジュール（２０５）によりパケットデータに圧縮される。そして最後に、前記パケットデータは第２伝送モジュール（２００）を介してオーディオ伝送装置（１０）に伝送され出力される。
【００２２】
図２は、本考案に係るステレオ出力可能なワイヤレスオーディオシステムにおける前記無線イヤホン装置の一実施例の回路ブロック図である。図３Ａ及び図３Ｂは、本実施例の回路図である。図示が小さ過ぎて読み難くならないようにするため、本実施例における各回路モジュールを二つの部分（Ｕ１_ＡおよびＵ１_Ｂ）に分け、図３Ａ及び図３Ｂにそれぞれ示したが、同一の回路チップ上の回路モジュールである。
【００２３】
本実施例では、前記無線イヤホン装置（２０）は、ブルートゥース（Ｂｌｕｅｔｏｏｔｈ）の無線通信技術により送受信を行うブルートゥースワイヤレスイヤホンである。該ブルートゥースワイヤレスイヤホンは、ブルートゥースモジュール（４０）と、充電ユニット（４０５）と、リセットユニット（４１０）と、接続検出モジュール（４２）と、単音スピーカユニット（４２０）と、信号接続ユニット（４２５）と、マイクロフォンユニット（４３５）と、フラッシュメモリ（４４０）と、ランプ支持ユニット（４４５）と、電池ユニット（４５０）と、電圧ユニット（４５５）と、切替ユニット（４６０）及び発振ユニット（４６５）を含む。さらに、前記接続検出モジュール（４２）は、第１オーディオ制御ユニット（４１５）及び第２オーディオ制御ユニット（４３０）を有する。
【００２４】
前記イヤホンは、ブルートゥースモジュール（４０）がアンテナ（４００）を介してデジタルオーディオパケットを送受信することでオーディオ伝送装置（１０）とやり取りを行う。また、ブルートゥースモジュール（４０）が受信したデジタルオーディオパケットをステレオ信号に解凍して、さらにアナログ式のステレオ信号に変換する。アンテナ（４００）の回路図は、図３Ａの（４００ａ）（以下の回路図は、すべて図３Ａ及び図３Ｂを参照する）を参照する。
【００２５】
接続検出モジュール（４２）における第２オーディオ制御ユニット（４３０）は、左音声チャネル信号を信号接続ユニット（４２５）に伝送するように制御し、また、第１オーディオ制御ユニット（４１５）は、マルチプレクサにより右音声チャネル信号を単音スピーカユニット（４２０）または信号接続ユニット（４２５）に伝送するように制御する。無線ブルートゥースイヤホンがステレオ出力装置（３０）に接続されていない場合、第１オーディオ制御ユニット（４１５）は、右音声チャネルの音声信号を単音スピーカユニット（４２０）に出力させる。前記二つの装置が接続された場合には、第１オーディオ制御ユニット（４１５）は、右音声チャネル信号を信号接続ユニット（４２５）に伝送すると選択し、信号接続ユニット（４２５）に伝送された左音声チャネル信号と合わせて、信号接続ユニット（４２５）により二つのチャネル信号を同時に外部のステレオ出力装置（３０）に転接し、右音声チャネル信号をステレオ出力装置（３０）の右側スピーカユニット（例えば、第２スピーカユニット（３０５））から出力させるとともに、左音声チャネル信号を左側スピーカユニット（例えば、第３スピーカユニット（３１０））から出力させる。第１オーディオ制御ユニット（４１５）から第２オーディオ制御ユニット（４３０）までの回路素子ブロックの回路図は、（４１５ａ）〜（４３０ａ）を参照する。
【００２６】
マイクロフォンユニット（４３５）は、音声受信ユニット（２３０）が必要とするバイアス回路及び音声信号の発生に用いられるものである。その回路図は（４３５ａ）を参照する。充電ユニット（４０５）は、微幅の電力をブルートゥースモジュール（４０）に供給し、電池を充電する際に使われるものであって、（４０５ａ）を参照する。リセットユニット（４１０）は、充電する際にブルートゥースモジュール（４０）の再起動に用いられ、その回路図は（４１０ａ）を参照する。フラッシュメモリ（４４０）は、ブルートゥースモジュール（４０）のファームウェアを記憶するためのものであって、（４４０ａ）を参照する。前記無線イヤホン装置はさらに、無線ブルートゥースイヤホンが使用されていることを示す各種のＬＥＤランプを制御するためのランプ支持ユニット（４４５）を備え、その回路図は（４４５ａ）を参照する。電池ユニット（４５０）は、無線ブルートゥースイヤホン全体が使用される時に必要とする電力を提供し、その回路図は（４５０ａ）を参照する。電圧ユニット（４５５）は、電池ユニット（４５０）が提供した電力により、ブルートゥースモジュール（４０）に必要な動作電圧を供給し、その回路図は（４５５ａ）を参照する。
【００２７】
最後に、前記無線イヤホン装置は切替ユニット（４６０）及び発振ユニット（４６５）を備える。切替ユニット（４６０）は、無線ブルートゥースイヤホンが提供する、例えば電源のオン／オフ、装置のペアリング、音量の調整などのような切替や調整機能を制御するためのもので、その回路図は（４６０ａ）を参照する。発振ユニット（４６５）は、無線ブルートゥースイヤホンを使用する際必要とする作動タイミングを提供するためのもので、その回路図は（４６５ａ）を参照する。
【００２８】
図４は、本考案に係るステレオ出力可能なワイヤレスオーディオシステムの実施例を示す図であり、図１のブロック図と合わせて以下に説明する。
【００２９】
本実施例は、Ａ２ＤＰブルートゥースステレオ出力をサポートする片耳型ブルートゥースイヤホン（２）と両耳型ステレオイヤホン（３）を有する無線ブルートゥースイヤホンシステムである。片耳型ブルートゥースイヤホン（２）は、通信モジュール（２２）中の第２伝送モジュール（２００）を介して、携帯電話（１）中の第１伝送モジュール（１００）とデータを送受信することで携帯電話（１）と通信する目的を達成する。ここで言う通信モジュール（２２）とは、ブルートゥースワイヤレス通信モジュールである。音楽を再生可能な携帯電話（１）は、音楽のパケットを片耳型ブルートゥースイヤホン（２）に伝送してから、圧縮／解凍モジュール（２０５）により当該パケットデータを解凍してステレオ信号に変換する。さらに、Ａ２ＤＰの復号化器で、当該ステレオ信号がステレオ音声として出力されるときに必要な第１音声チャネル信号及び第２音声チャネル信号を算出する。さらに、前記ステレオ信号をスピーカユニットから出力し易くするため、信号変換ユニット（２１０）で前記ステレオ信号をアナログ式の音声信号に変換する。
【００３０】
変換されたステレオ信号を出力する前に、接続検出モジュール（２１５）は片耳型ブルートゥースイヤホン（２）がＵＳＢプラグ（３００１）及びＵＳＢスロット（２５５１）を介して両耳型ステレオイヤホン（３）と接続されるか否かを検出する。接続されない場合、ステレオ信号は片耳型ブルートゥースイヤホン（２）上のスピーカ（２２０１）から単音信号として出力することしかできない。逆に、片耳型ブルートゥースイヤホン（２）と両耳型ステレオイヤホン（３）はＵＳＢインターフェースを介して接続された場合、接続検出モジュール（２１５）は、ステレオ信号を両耳型ステレオイヤホン（３）に伝送するように出力経路を切り替え、第２スピーカ（３０５１）及び第３スピーカ（３１０１）を介してステレオ信号の第１音声チャネル信号及び第２音声チャネル信号（すなわち、左右音声チャネル信号）をそれぞれ出力する
【００３１】
ユーザーは、両耳型ステレオイヤホン（３）を片耳型ブルートゥースイヤホン（２）に差し込むと、両耳型ステレオイヤホン（３）で携帯電話（１）の音声出力を聴く。これにより、臨場感のあるステレオを確実に体験することができる。さらに加えて、元の片耳型ブルートゥースイヤホン（２）を襟につけることやイヤホンの線の長さを調節制御、その内蔵のマイクロフォン（２３０１）により音声信号を入力することができるので、そのハンズフリーの利点を維持できる。片耳型ブルートゥースイヤホン（２）と両耳型ステレオイヤホン（３）とが互いに接続された場合、携帯電話（１）が着信コールを受信すると、その音声出力も前記の音楽の音信号伝送と同じように、ユーザーは両耳型ステレオイヤホン（３）で受話し、片耳型ブルートゥースイヤホン（２）上のマイクロフォン（２３０１）で送話することができる。また、本システムにおけるオーディオ伝送装置（１０）は、携帯電話（１）に限られるわけではなく、無線で接続可能な他の音声伝送装置、例えば、ＭＰ３、ＭＰ４などの音楽再生装置であっても良い。
【００３２】
また、前記の片耳型ブルートゥースイヤホン（２）と両耳型ステレオイヤホン（３）を接続する方式は、ＵＳＢプラグ（３００１）及びＵＳＢスロット（２５５１）を介して接続できるほか、勿論、音声信号を接続、伝送できる他のインターフェースを介して接続や伝送するように設計しても良い。例えば、図５には、他の片耳型ブルートゥースイヤホン（２ａ）のオーディオ穴（２２５３）と他の両耳型ステレオイヤホン（３ａ）のオーディオプラグ（３００３）との接続を示す。或いは、図６に示すように、アダプタ（３１５）を介してＵＳＢプラグ（３００１）はＵＳＢスロット（２５５１）に接続されている。この場合、まず、両耳型ステレオイヤホン（３ａ）のオーディオプラグ（３００３）をアダプタ（３１５）のオーディオ穴（２２５３）に接続させる。そして、反対側のＵＳＢプラグ（３００１）を片耳型ブルートゥースイヤホン（２）のＵＳＢスロット（２５５１）に接続する。このようにすることで、片耳型ブルートゥースイヤホン（２）のスロット空間を小さくさせるばかりでなく、ユーザーが低コストで入手しやすいオーディオプラグ（３００３）のイヤホンを便宜に使用する効果を同時に達成できる。
【００３３】
以上のような創作説明及び実施内容は、便利で有効な方法を開示しており、片側スピーカ出力しか備えていない無線イヤホンでもステレオ出力の効果を持つようになることができる。かつ、本考案に係る手段により出力したステレオ信号は、左右音声チャネル品質または音量のバランスが取れないという問題が発生せず、しかもユーザーの意志で常に着脱でき、現在市場においてよく見られる片耳かけ型イヤホンの実用性を大幅に向上できる。
【００３４】
しかし、上述された内容は単に本考案の好ましい具体的な実施例に過ぎず、本考案の実用新案登録請求の範囲を制限するものではなく、いずれの当該分野における通常の知識を有する専門家は、本考案の分野の中で、適当に変更や修飾などを実施できるが、それらの実施が本考案の主張範囲内に含まれるべきことは言うまでもないことである。
【図面の簡単な説明】
【００３５】
【図１】本考案に係るステレオ出力可能なワイヤレスオーディオシステムの一実施例のブロック図である。
【図２】本考案に係る無線イヤホン装置の一実施例の回路ブロック図である。
【図３Ａ】本考案に係るステレオ出力可能な無線イヤホン装置の一実施例の回路図である。
【図３Ｂ】本考案に係るステレオ出力可能な無線イヤホン装置の一実施例の回路図である。
【図４】本考案に係るステレオ出力可能なワイヤレスオーディオシステムの一実施例を示す図である。
【図５】本考案に係るステレオ出力可能なワイヤレスオーディオシステムの接続方式の一実施例を示す図である。
【図６】本考案に係る他のステレオ出力可能なワイヤレスオーディオシステムの接続方式の一実施例を示す図である。
【符号の説明】
【００３６】
１  携帯電話
１０  オーディオ伝送装置
２０  無線イヤホン装置
３０  ステレオ出力装置
２２  通信モジュール
１００  第１伝送モジュール
２００  第２伝送モジュール
２０５  圧縮／解凍モジュール
２１０  信号変換ユニット
２１５  接続検出モジュール
２２０  第１スピーカユニット
２２５  音源出力ユニット
２３０  音声受信ユニット
３００  音源入力ユニット
３０５  第２スピーカユニット
３１０  第３スピーカユニット
４０  ブルートゥースモジュール
４２  接続検出モジュール
４００  アンテナ
４０５  充電ユニット
４１０  リセットユニット
４１５  第１オーディオ制御ユニット
４２０  単音スピーカユニット
４２５  信号接続ユニット
４３０  第２オーディオ制御ユニット
４３５  マイクロフォンユニット
４４０  フラッシュメモリ
４４５  ランプ支持ユニット
４５０  電池ユニット
４５５  電圧ユニット
４６０  切替ユニット
４６５  発振ユニット
４００ａ〜４６５ａ  回路
２、２ａ  片耳型ブルートゥースイヤホン
３００１  ＵＳＢプラグ
２５５１  ＵＳＢスロット
３、３ａ  両耳型ステレオイヤホン
２２０１  スピーカ
３０５１  第２スピーカ
３１０１  第３スピーカ
２３０１  マイクロフォン
２２５３  オーディオ穴
３００３  オーディオプラグ
【図１】
0003144831.tif 000003
【図２】
0003144831.tif 000004
【図３Ａ】
0003144831.tif 000005
【図３Ｂ】
0003144831.tif 000006
【図４】
0003144831.tif 000007
【図５】
0003144831.tif 000008
【図６】
0003144831.tif 000009